(57)【特許請求の範囲】
【請求項１】
床から上方に延びる柱状体と該床に対し水平方向に延びる一又は複数の横梁体とを結合する結合装置であって、
前記横梁体同士を接続する梁側連結部材と、
前記梁側連結部材と着脱可能であって、前記柱状体を接続する柱側連結部材と、を備え、
前記梁側連結部材は、前記横梁体と該梁側連結部材とを接続する第一接続部と、該梁側連結部材と前記柱側連結部材とを固定する第一固定部材によって、該梁側連結部材と該柱側連結部材の外側から、該梁側連結部材と該柱側連結部材とを接続する第二接続部と、を有し、
前記柱側連結部材は、前記梁側連結部材の第二接続部と該柱側連結部材とを接続する第三接続部と、前記柱状体と該柱側連結部材とを接続する第四接続部と、を有し、
前記梁側連結部材は、前記第一接続部の下方に切欠部を有する結合装置において、
前記切欠部及び前記第二接続部と、前記第三接続部とは、床に対する水平方向の動きを規制する嵌合構造を形成し、
前記第一固定部材は、前記梁側連結部材と前記柱側連結部材とを嵌合状態で固定する
結合装置。
【請求項２】
前記横梁体と前記梁側連結部材は、第二固定部材で固定され、
前記第二固定部材は、前記第一接続部と前記横梁体とを固定する固定部材であって、軸部と該軸部より大きい径を持つ頭部とを有し、
前記第一接続部は、第二固定部材が挿入される貫通孔を有し、
前記貫通孔は、貫通孔下部と貫通孔上部を有し、
前記貫通孔下部は、前記第二固定部材の頭部が入り、前記第二固定部材の少なくとも軸部が挿入される前記貫通孔であって、
前記貫通孔上部は、前記貫通孔下部の上側に連接し、前記第二固定部材の軸部が入り、前記第二固定部材の頭部は入らない前記貫通孔上部であって、前記第二固定部材の軸部が前記貫通孔下部からスライドし、前記貫通孔上部に前記第二固定部材の頭部と接することで固定される請求項１に記載の結合装置。
【請求項３】
前記第一接続部は、前記第二固定部材の頭部の床下方向に移動する動きを規制する凸部
を前記貫通孔上部の床下方向に有する請求項２に記載の結合装置。                    
【発明の詳細な説明】
【技術分野】
【０００１】
本発明は、柱状体と横梁体の結合装置に関する。
【背景技術】
【０００２】
オフィス等において多くの人がその空間を利用する際の利便のための、様々な空間の構築方法に関する技術が公開されている。例えば、新たな情報機器の登場やその情報機器の更新等に柔軟に対応し、容易に新たな空間構造体を設計可能とする技術が公開されている（特許文献１を参照。）。この技術においては、空間構造体を構成する横梁体と柱状体において、横梁体と柱状体とを結合する結合部分の内側からネジ等を用いて横梁体と柱状体とを固定する。また、その内部に軸心方向に延びる溝を設け、その構内で任意の位置に移動可能且つ該位置で固定可能な連結手段を設けた技術が開示されている。
【０００３】
また、横梁体と柱状体の組立及び解体作業を簡略化するための構造体に関する技術が公開されている（特許文献２を参照。）。この技術は、横梁体と柱状体の接合面に、凸条又は凹条係止部を取り付け、凸条又は凹条係止部と接続可能な被係止部を有するジョイント本体に挿入する。これによれば、部材の追加や形状の変更等による設計変更に対し、容易に横梁体や柱状体の位置を変えることが可能である。
【特許文献１】特開２００７−１３２４７４号公報
【特許文献２】特開２００５−１５５７３１号公報
【特許文献３】特開２００２−２２３８７３号公報
【特許文献４】特開２００４−１８３２４８号公報
【特許文献５】実開平６−５４８９０号公報
【特許文献６】特許第２７９７０７６号公報
【特許文献７】特許第２９５２５６７号公報
【特許文献８】特許第２９９８０００号公報
【発明の開示】
【発明が解決しようとする課題】
【０００４】
近年情報機器の更新が比較的早く行われる状況下では、新たな情報機器の登場等による寸法、形状の変化に応じて、オフィス等の空間構造体を構成する横梁体または柱状体の位置を調整しなければならない。
【０００５】
従来の横梁体と柱状体を結合する結合装置では、横梁体と柱状体を固定する位置が結合装置の内側にあるため、施工上の困難性を生じる一因となる。そして、特に横梁体を吊り天井等に取り付けた状態から柱状体の着脱を行う場合には、困難性は顕著となる。そのため、予め横梁体と柱状体の位置を決めておかなくてはならず、横梁体または柱状体の位置を調整する設計変更の際に不便である。
【０００６】
本発明では、上記問題に鑑み、横梁体と柱状体を結合する結合装置において、空間構造体の調整の施工性を向上させることを目的とする。
【課題を解決するための手段】
【０００７】
上記課題を解決するために、本発明では上記結合装置を、横梁体を接続する梁側連結部材と、柱状体を接続する柱側連結部材とに分けるとともに、梁側連結部材と柱側連結部材の外側から、梁側連結部材と柱側連結部材とを固定部材を用いて固定する構成を設けた。このような構成によって、本発明は、横梁体と柱状体との空間構造体の調整の施工性を向上できる結合装置を提供することが可能となる。
【０００８】
詳細には、本発明は、床から上方に延びる柱状体と該床に対し水平方向に延びる一又は複数の横梁体とを結合する結合装置であって、前記横梁体同士を接続する梁側連結部材と、前記梁側連結部材と着脱可能であって、前記柱状体を接続する柱側連結部材と、を備え、前記梁側連結部材は、前記横梁体と該梁側連結部材とを接続する第一接続部と、該梁側連結部材と前記柱側連結部材とを固定する第一固定部材によって、該梁側連結部材と該柱側連結部材の外側から、該梁側連結部材と該柱側連結部材とを接続する第二接続部と、を有し、前記柱側連結部材は、前記梁側連結部材の第二接続部と該柱側連結部材とを接続する第三接続部と、前記柱状体と該柱側連結部材とを接続する第四接続部と、を有する。
【０００９】
上記の本発明である結合装置は、横梁体を接続する梁側連結部材と、柱状体を接続する柱側連結部材との接続によって構成される。その構成は、空間構造体の設計に応じて、適宜調整される。また、結合装置の全体の形状は、様々な形状に適応可能である。
【００１０】
ここで、本発明の結合装置を構成する梁側連結部材は、第一接続部と第二接続部を有する。第一接続部は、横梁体と梁側連結部材とを接続する。第二接続部は、柱側連結部材を梁側連結部材に接続する。また、本発明の結合装置を構成する柱側連結部材は、梁側連結部材の第二接続部と接続する第三接続部と、柱状体と接続する第四接続部を有する。この梁側連結部材と柱側連結部材は、梁側連結部材と柱側連結部材との外側から第一固定部材によって梁側連結部材の第二接続部と柱側連結部材の第三接続部とを固定する構成を設けている。そのため、本発明によれば、梁側連結部材の外側から固定することにより、作業者の手を動かすことができる範囲が広くなり、特に吊り天井等に取り付けた場合には有用で、梁側連結部材と柱側連結部材との着脱が容易に行うことができる。その結果、横梁体または柱状体の位置の調整を任意に行うことが可能である。
【００１１】
ここで本発明において、前記第二接続部と前記第三接続部とは、床に対する水平方向の動きを規制する嵌合構造を形成し、前記第一固定部材は、前記梁側連結部材と前記柱側連結部材とを嵌合状態で固定してもよい。
【００１２】
例えば、梁側連結部材の第二接続部と柱側連結部材の第三接続部と嵌合構造とすることで、結合部分が床に対し垂直方向に嵌合する。嵌合構造により、本発明は、梁側連結部材と柱側連結部材との結合において、床に対する水平方向の動きが制限される。更に第一固定部材を用いて梁側連結部材と柱側連結部材とを嵌合状態で固定するため、梁側連結部材と柱側連結部材との結合部分は、揺れに強い結合装置を提供する。
【００１３】
ここで本発明において、前記横梁体と前記梁側連結部材は、第二固定部材で固定され、前記第二固定部材は、前記第一接続部と前記横梁体とを固定する固定部材であって、軸部と該軸部より大きい径を持つ頭部とを有し、前記第一接続部は、第二固定部材が挿入される貫通孔を有し、前記貫通孔は、貫通孔下部と貫通孔上部を有し、前記貫通孔下部は、前記第二固定部材の頭部が入り、前記第二固定部材の少なくとも軸部が挿入される前記貫通孔であって、前記貫通孔上部は、前記貫通孔下部の上側に連接し、前記第二固定部材の軸部が入り、前記第二固定部材の頭部は入らない前記貫通孔上部であって、前記第二固定部材の軸部が前記貫通孔下部からスライドし、前記貫通孔上部に前記第二固定部材の頭部と接することで固定されてもよい。
【００１４】
詳細には、本発明に係る第二固定部材は、横梁体と梁側連結部材の第一接続部とを固定するものであり、頭部と軸部から構成される。
【００１５】
また、本発明に係る貫通孔は、梁側連結部材の第一接続部に設けられ、貫通孔下部と貫通孔上部から構成される。貫通孔下部は、第二固定部材の頭部が入る孔が空いている。ま
た、貫通孔上部は、第二固定部材の軸部が入る孔が空いており、第二固定部材の頭部が入らない孔を有する構造である。以上により、貫通孔下部は第二固定部材を挿入させる際、第二固定部材の頭部と軸部のどちらからでも挿入が可能である。
【００１６】
また、上述したように、上記貫通孔は、第二固定部材の頭部が入る孔が空いている貫通孔下部と、第二固定部材の軸部が入る孔が空いており、第二固定部材の頭部が入らない孔を有する貫通孔上部から構成されている。また、貫通孔上部は、貫通孔下部の上側に連接しており、貫通孔下部と貫通孔上部の孔は繋がっている。この構成は、既に固定された横梁体に梁側連結部材を結合する際に適している。作業者は、貫通孔下部に第二固定部材の軸部もしくは第二固定部材の頭部を挿入し、梁側連結部材を床下方向に下げる事により、貫通孔上部に第二固定部材の軸部が貫通孔下部からスライドするため、第二固定部材を固定する作業を容易に行うことが可能である。
【００１７】
以上、このような構造とすることで、本発明は、梁側連結部材と横梁体の連結において、十分な強度を備え、梁側連結部材を横梁体に取り付ける作業性の向上が可能である結合装置を提供する。
【００１８】
また、本発明において、前記第一接続部は、前記第二固定部材の頭部の床下方向に移動する動きを規制する凸部を前記貫通孔上部の床下方向に有していてもよい。
【００１９】
詳細には、本発明に係る凸部は、梁側連結部材の第一接続部の貫通孔上部の床下方向に設けられる。横梁体に柱状体を連結する際、柱状体を連結した柱側連結部材は、梁側連結部材の第二接続部に固定されるが、梁側連結部材は柱側連結部材と接触する面に対し梁側連結部材方向に垂直に力がかかり、貫通孔上部に固定された第二固定部材が貫通孔下部に下がってしまい、横梁体が外れる可能性がある。それを防止する構造として、貫通孔上部に固定された第二固定部材の頭部の動きを規制する凸部を貫通孔上部の床下方向に有することで、床から上方に延びる柱状体の接続に強い梁側連結部材を有する結合装置を構成することが可能である。
【００２０】
以上、このような構造とすることで、本発明は、柱状体と横梁体との連結に対し十分な強度を備えた結合装置を提供する。
【発明の効果】
【００２１】
本発明によれば、横梁体と柱状体を結合する結合装置において、空間構造体の調整の施工性を向上させることが可能となる。
【発明を実施するための最良の形態】
【００２２】
ここで、本発明に係る結合装置の実施形態について、図面に基づいて説明する。
【００２３】
本発明の実施例について説明する。図１は四本の横梁体２と、一本の柱状体３との接続の様子を示す図である。本実施形体の結合装置１は、主に、図１に示すように、一又は複数の横梁体２を接続する梁側連結部材４と、柱状体３を接続する柱側連結部材５により構成される結合装置１である。横梁体２と柱状体３との結合は、梁側連結部材４と柱側連結部材５とを介して行われる。また、天井等に固定された吊りボルトに、吊り金具を使用して横梁体２を設置した空間構造体にも、結合装置１を使用することが可能である。
【００２４】
本発明の実施例に係る結合装置１を構成する梁側連結部材４について説明する。図２は、梁側連結部材４を上方向から見た斜視図である。図３は梁側連結部材４を下方向から見た斜視図である。図４は梁側連結部材４の平面図である。図５は梁側連結部材４の側面図である。図６は梁側連結部材４の図４に示す、A―A断面図である。
【００２５】
具体的には、図２と図３に示すように、梁側連結部材４は略四角形の側面を有し、側面の床に対し水平方向の側辺が軸心方向に凹み、図４のように上面から見たら十字型の構造である。梁側連結部材４の側面には、第一接続部６を有する。第一接続部６には、図５と図６に示すように、下方に切欠部を有し、中心付近に貫通孔１２が設けられている。貫通孔１２は、貫通孔下部１７と貫通孔上部１６に分けられる。貫通孔下部１７は第二固定部材２０の頭部が入る大きさであり、貫通孔上部１６は第二固定部材２０の軸部が入り、第二固定部材２０の頭部は入らない大きさである。また、貫通孔１２は、図６に示すように、凸部１８が各貫通孔下部１７の梁側連結部材４内側の縁に二箇所設けられている。更に、梁側連結部材４は、図３に示すように、梁側連結部材４の底面に、第二接続部７が設けられている。第二接続部７には、４箇所のネジ孔１０を有する。また、第二接続部７は、軸心方向から４箇所のネジ孔１０に向かって十字に孔が開けられており、凹部２２となっている。尚、ネジ孔１０と凹部２２は接しない。また、第二固定部材２０は軸部と軸部より大きい径を持つ頭部とを有する形状であり、例えばネジ等を用いる。
【００２６】
次に、本発明の実施例に係る結合装置１を構成する柱側連結部材５について説明する。図７は、柱側連結部材５を上方向から見た斜視図である。図８は柱側連結部材５を下方向から見た斜視図である。図９は柱側連結部材５の平面図である。図１０は柱側連結部材５の側面図である。
【００２７】
具体的には、柱側連結部材５は、その底面に、第四接続部９を設ける。この第四接続部９の中心には、図８と図９に示すように、ネジ孔１３を有する。また、柱側連結部材５は、その上面に、第三接続部８が設けられている。この第三接続部８には、図９に示すように、４箇所のネジ孔１１を有する。このネジ孔１１は、梁側連結部材４に設けられているネジ孔１０に対応する位置をとる。また、第三接続部８に、ネジ孔１１から軸心方向に向かう位置に、４箇所の凸部２３を有する。尚、ネジ孔１１と凸部２３は接しない。
【００２８】
次に、図１１は、梁側連結部材４と柱側連結部材５とを結合させた図である。梁側連結部材４の底面にある第二接続部７と、柱側連結部材５の上面にある第三接続部８とを合わせる。また、図１２は一本の横梁体２と一本の柱状体３との結合を示す断面図である。
【００２９】
具体的には、図１２に示すように、梁側連結部材４は、梁側連結部材４の底面に、柱側連結部材５の第三接続部８を接続する第二接続部７を設けている。この第二接続部７には、柱側連結部材５と連結するネジ孔１０を有する。このネジ孔１０は、柱側連結部材５の上面に設けられている第三接続部８に設置されると、第三接続部８に有した梁側連結部材４と接続するネジ孔１１に対応する位置をとる。合わさったネジ孔１０とネジ孔１１は第一固定部材１９によって固定される。この第一固定部材１９は、床から上方に向き、柱側連結部材５の第三接続部８側から挿入し、梁側連結部材４と柱側連結部材５との外側から固定する。
【００３０】
また、柱側連結部材５と接続する梁側連結部材４の第二接続部７は、梁側連結部材４と接続する柱側連結部材５の第三接続部８と嵌合構造を形成する。図２、図３に示すように、梁側連結部材４の第一接続部６の下方の切欠部と、図７に示すように、柱側連結部材５の第三接続部８と嵌合する。更に、図４に示すように、梁側連結部材４の第二接続部７の凹部２２と、図９に示すように、柱側連結部材５の第三接続部８に有する凸部２３と嵌合する。
【００３１】
また、図１に示すように、天井等に固定された吊りボルトに、吊り金具を使用して横梁体２を設置し、梁側連結部材４を接続させる場合、作業者の手を動かすことができる範囲が狭いため、施工上の困難性が生じる。既に吊り天井等に取り付けられた横梁体２に、梁
側連結部材４を接続する際、図１２に示すように、貫通孔下部１７に第二固定部材２０を挿入し、梁側連結部材４を床下方向に下げる事により、貫通孔上部１６に第二固定部材２０がスライドするため、第二固定部材２０を貫通孔上部１６に固定する作業を容易に行うことが図られる。
【００３２】
第一接続部６に設けられている貫通孔１２には、図６、図１２に示すように、凸部１８が貫通孔下部１７の縁に二箇所設けられている。既に吊り天井等に設置した横梁体２に柱状体３を接続する際、柱状体３を接続した柱側連結部材５は、梁側連結部材４の底面にある第二接続部７に固定する。これにより、梁側連結部材４は、柱側連結部材５と接触する面に対し梁側連結部材４方向に垂直に力がかかる。貫通孔上部１６に固定された第二固定部材２０が貫通孔下部１７に下がる可能性があり、第二固定部材２０の頭部の動きを規制する凸部１８が貫通孔１２に設けられている。
【００３３】
次に、本実施例に係る横梁体２は、梁側連結部材４と固定するネジ孔１４を、横梁体２の端面中央部に有する。横梁体２と梁側連結部材４とを固定する際、第二固定部材２０は横梁体２の梁側連結部材４と接続するネジ孔１４に途中まで挿入する。途中まで挿入された第二固定部材２０は、梁側連結部材４の外側から、梁側連結部材４の第一接続部６に有する貫通孔下部１７に、第二固定部材２０の頭部から挿入する。横梁体２の端面と梁側連結部材４の第一接続部６を合わせ、貫通孔上部１６にスライドする。梁側連結部材４の内側から、第二固定部材２０の頭部が梁側連結部材４の貫通孔上部１６に接するまで挿入し、横梁体２と梁側連結部材４とを固定する。
【００３４】
第二固定部材２０を梁側連結部材４に挿入する方法は他に、横梁体２と接続する第一接続部６と向かい合う、反対側の第一接続部６の貫通孔下部１７に、第二固定部材２０の軸部から挿入し、第二固定部材２０の頭部まで貫通させる。第二固定部材２０の軸部は、横梁体２と接続する第一接続部６の貫通孔下部１７に挿入後、横梁体２と接続し、貫通孔上部１６にスライドする。第二固定部材２０の頭部が貫通孔上部１６に接するまで挿入し、横梁体２と梁側連結部材４とを固定する。
【００３５】
また、本実施例に係る柱状体３は、柱側連結部材５と連結するネジ孔１５を、柱状体３の端面中央部に有する。柱状体３と柱側連結部材５とを連結する際、第三固定部材２１は柱側連結部材５の内側から第四接続部９に有するネジ孔１３に挿入し、柱状体３と固定する。
【００３６】
以上により、本実施例は、梁側連結部材４と柱側連結部材５とを外側から第一固定部材１９によって固定することにより、梁側連結部材４と柱側連結部材５の着脱が可能となる。よって、横梁体２と柱状体３との空間構造体の調整を容易に行うことができる。更に、梁側連結部材４と柱側連結部材５の接続が嵌合構造であるため、床に対し水平方向の揺れに強い構造となる。また、本実施例は、梁側連結部材４の貫通孔下部１７に第二固定部材２０を挿入し、貫通孔上部１６にスライドして第二固定部材２０を固定することにより、梁側連結部材４を横梁体２に取り付ける作業性の向上が可能である。更に、貫通孔上部１６に固定された第二固定部材２０の頭部の動きを規制する凸部１８を貫通孔上部１６の床下方向に有することで、床から上方に延びる柱状体３の接続に強い梁側連結部材４を有する結合装置１を構成することが可能である。
【図面の簡単な説明】
【００３７】
【図１】本発明の実施例の横梁体、梁側連結部材、柱状体、柱側連結部材の連結の様子を示す図である。
【図２】本発明の実施例の梁側連結部材の上から見た斜視図である。
【図３】本発明の実施例の梁側連結部材の下から見た斜視図である。
【図４】本発明の実施例の梁側連結部材の平面図である。
【図５】本発明の実施例の梁側連結部材の側面図である。
【図６】本発明の実施例の梁側連結部材の断面図である。
【図７】本発明の実施例の柱側連結部材の上から見た斜視図である。
【図８】本発明の実施例の柱側連結部材の下から見た斜視図である。
【図９】本発明の実施例の柱側連結部材の平面図である。
【図１０】本発明の実施例の柱側連結部材の側面図である。
【図１１】本発明の実施例の連結装置を表す斜視図である。
【図１２】横梁体と柱状体の連結における断面図である。
【符号の説明】
【００３８】
１・・・結合装置
２・・・横梁体
３・・・柱状体
４・・・梁側連結部材
５・・・柱側連結部材
６・・・第一接続部
７・・・第二接続部
８・・・第三接続部
９・・・第四接続部
１６・・・貫通孔上部
１７・・・貫通孔下部
１８・・・凸部
１９・・・第一固定部材
２０・・・第二固定部材
２１・・・第三固定部材
【図１】
0005301150.tif 000002
【図２】
0005301150.tif 000003
【図３】
0005301150.tif 000004
【図４】
0005301150.tif 000005
【図５】
0005301150.tif 000006
【図６】
0005301150.tif 000007
【図７】
0005301150.tif 000008
【図８】
0005301150.tif 000009
【図９】
0005301150.tif 000010
【図１０】
0005301150.tif 000011
【図１１】
0005301150.tif 000012
【図１２】
0005301150.tif 000013